(57)【要約】【課題】  連写が実施され多数保存される大量の画像からユーザの意図したものを的確に保存し、不必要な画像を煩雑な操作なく消去する。【解決手段】画像分類制御部２０ｇは、ＲＯＭ３１から、設定された撮影モードに対応する条件１・２を識別し、条件１に合う画像をグループ１、条件２に合う画像をグループ２、条件１にも２にも合わない画像をグループ３に分類する。グループ１の画像は第１の記録媒体２９に保存され、グループ２およびグループ３の画像は第２の記録媒体３２に保存される。間引画像作成部２０ｅは、グループ１の画像の各々を所定の間引き率によって間引くことで、グループ１の画像の各々に対応する低解像度画像を作成し、第２の記録媒体３２に保存する。自動消去実行部２０ｆは、電源オフ時、第２の記録媒体３２に保存された顔検出のないグループ３の画像を消去する。【選択図】  図２
2010232863.tif 000002
【特許請求の範囲】
【請求項１】
連写撮影の可能な撮像部と、
撮影モードの選択を受け付ける撮影モード選択部と、
前記撮像部の連写撮影にて得られた画像である連写画像を、前記撮影モード選択部が選択を受け付けた撮影モードに対応する高解像度保存条件に適合する画像ならびに前記高解像度保存条件に適合しない画像に分類する画像分類部と、
前記連写画像のうち、前記画像分類部が分類した前記撮影モードに対応する高解像度保存条件に適合する画像を第１の記録媒体に記録し、前記画像分類部が分類した前記撮影モードに対応する高解像度保存条件に適合しない画像を第２の記録媒体に記録する記録制御部と、
電源供給停止時に、前記第２の記録媒体に記録された画像のうち、前記撮影モード選択部が選択を受け付けた撮影モードに対応する低解像度保存条件に適合する画像に基づいて低解像度画像を作成し前記第２の記録媒体に記録する低解像度画像作成部と、
電源供給停止時に、前記第２の記録媒体に記録された画像のうち、前記撮影モード選択部が選択を受け付けた撮影モードに対応する低解像度保存条件に適合しない画像を消去する消去制御部と、
を備える撮像装置。
【請求項２】
前記撮像部の連写撮影にて得られた画像である連写画像の単位を示す情報である連写画像単位情報を前記連写画像に付与する連写画像単位情報付与部と、
前記第１の記録媒体に記録された画像を、同一の連写画像単位情報の付与された画像ごとに順次または同時に所定の表示装置に表示するよう制御する表示制御部と、
前記所定の表示装置に表示された前記第１の記録媒体の画像と同一の連写画像単位情報の付与された前記第２の記録媒体の画像を表示するか否かの選択を受け付ける表示選択部と、
を備え、
前記表示制御部は、前記表示選択部が前記第２の記録媒体の画像を表示する選択を受け付けたことに応じて前記第２の記録媒体の画像を所定の表示装置に表示するよう制御し、
前記消去制御部は、前記第２の記録媒体の画像のうち前記所定の表示装置に表示されなかった画像を消去する請求項１に記載の撮像装置。
【請求項３】
前記低解像度画像作成部は、電源供給停止時に前記連写画像のうち、前記第２の記録媒体に記録された画像のうち前記所定の表示装置に表示された画像に基づいて低解像度画像を作成し前記第２の記録媒体に記録する請求項２に記載の撮像装置。
【請求項４】
前記表示制御部は、前記表示選択部が前記第２の記録媒体の画像を表示する選択を受け付けたことに応じて前記第２の記録媒体の画像を第１の画像から第３の画像の順に所定の表示装置に表示するよう制御する請求項２または３に記載の撮像装置。
【請求項５】
前記第１の記録媒体に記録された、前記撮影モードに対応する高解像度保存条件に適合する画像の数を計数する計数部を備え、
前記表示制御部は、前記撮像部による連写撮影の間、前記計数部の計数した画像の数を前記連写撮影のスルー画とともに表示する請求項２〜４のいずれかに記載の撮像装置。
【請求項６】
前記第１の記録媒体に記録された、前記撮影モードに対応する高解像度保存条件に適合する画像の数を計数する計数部と、
所定の操作部を介して入力された所望の画像必要数と、前記計数部の計数した画像の数とを比較し、前記計数部の計数した画像の数が前記所望の画像必要数に達したか否かを判定し、前記判定の結果に応じて前記撮像部の連写撮影を終了する撮像制御部と、
を備える請求項１に記載の撮像装置。
【請求項７】
前記画像分類部は、前記撮像部の連写撮影にて得られた画像である連写画像のうち、前記撮影モード選択部が選択を受け付けた撮影モードに対応する下位の条件に適合する第１の画像を、前記撮影モードに対応する高解像度保存条件に適合しない画像に分類し、前記撮影モードに対応する前記下位の条件よりも厳格な上位の条件に適合する第２の画像を前記撮影モードに対応する高解像度保存条件に適合する画像に分類し、前記上位の条件および下位の条件のいずれにも適合しない第３の画像を前記撮影モードに対応する高解像度保存条件に適合しない画像に分類する請求項１〜６のいずれかに記載の撮像装置。
【請求項８】
前記記録制御部は、前記第２の画像を前記第１の記録媒体に記録するとともに、前記第１の画像および前記第３の画像を前記第２の記録媒体に記録し、
前記低解像度画像作成部は、電源供給停止時に、前記第２の記録媒体に記録された第１の画像に基づいて低解像度画像を作成して前記第２の記録媒体に記録し、
前記消去制御部は、電源供給停止時に、前記第２の記録媒体に記録された第３の画像を消去する請求項７に記載の撮像装置。
【請求項９】
前記撮影モード選択部は、前記撮像部の連写撮影の終了後、所望の撮影モードの選択を受け付け、
前記画像分類部は、前記撮影モード選択部が前記撮像部の連写撮影の終了後に選択を受け付けた撮影モードである連写後撮影モードが、前記撮像部の連写撮影の開始時に設定された撮影モードと異なる場合、前記撮像部の連写撮影で得られた画像を、前記連写後撮影モードに対応する高解像度保存条件に適合する画像ならびに前記高解像度保存条件に適合しない画像に分類し、
前記記録制御部は、前記画像分類部が分類した前記連写後撮影モードに対応する高解像度保存条件に適合する画像を第１の記録媒体に記録し、前記画像分類部が分類した前記連写後撮影モードに対応する高解像度保存条件に適合しない画像を第２の記録媒体に記録する請求項１〜８のいずれかに記載の撮像装置。
【請求項１０】
前記消去制御部は、前記撮像部の連写撮影の終了後、前記撮像部の連写撮影の開始時に設定された撮影モードと異なる撮影モードが選択されなかった場合、電源供給停止時に前記第２の記録媒体の画像を消去する請求項９に記載の撮像装置。
【請求項１１】
撮像装置が、
連写撮影の可能な撮像部の撮影モードの選択を受け付けるステップと、
前記撮像部の連写撮影にて得られた画像である連写画像を、前記選択を受け付けた撮影モードに対応する高解像度保存条件に適合する画像ならびに前記高解像度保存条件に適合しない画像に分類するステップと、
前記連写画像のうち、前記分類した前記撮影モードに対応する高解像度保存条件に適合する画像を第１の記録媒体に記録し、前記分類した前記撮影モードに対応する高解像度保存条件に適合しない画像を第２の記録媒体に記録するステップと、
電源供給停止時に、前記第２の記録媒体に記録された画像のうち、前記選択を受け付けた撮影モードに対応する低解像度保存条件に適合する画像に基づいて低解像度画像を作成し前記第２の記録媒体に記録するステップと、
電源供給停止時に、前記第２の記録媒体に記録された画像のうち、前記選択を受け付けた撮影モードに対応する低解像度保存条件に適合しない画像を消去するステップと、
を実行する画像管理方法。
【請求項１２】
請求項１１に記載の画像管理方法を撮像装置に実行させるための画像管理プログラム。
【発明の詳細な説明】
【技術分野】
【０００１】
本発明は、撮像装置の得た画像の管理に関する。
【背景技術】
【０００２】
特許文献１では、撮影処理プロセッサで処理された画像をメモリカードに記録する場合、代表画像や単写画像を記録するための第１のメモリと、連写画像のうち代表画像を除く他の画像を記録するための第２のメモリカードを用意し、撮影時に自動的に分類記録されるようにする。
【０００３】
特許文献２では、記録媒体に記録されている複数の画像の中から操作キー及び確定ボタンの操作によって仮消去指定すべき画像が選択されると、仮消去指定・解除部の制御により、その選択画像が仮消去指定されたものであることを示す仮消去フラグ情報が記録媒体内に書き込まれる。この時、保存優先順位を手動又は自動で指定することができ、仮消去フラグ情報には、保存優先順位の情報も含まれる。撮影時に、その撮影画像の記録のための容量が不足する場合には、仮消去指定画像の内で保存優先順位の低い画像が実際に消去され、新しい撮影画像を記録媒体に記録するための空き容量が確保される。
【０００４】
特許文献３では、被写体を撮像し、得られた画像を分析評価し、評価された画像を所定の判断基準により評価する。そして、所定の判断基準に基づく評価により撮影ミスと判断された画像を蓄積手段から一括消去する。
【０００５】
特許文献４では、液晶ディスプレイにより表示された、１回のレリーズによって異なる撮影条件で撮影された複数の画像をユーザーが見ることで、最適な一枚を選択スイッチと決定スイッチとを用いて選択すれば、選択されなかった画像にかかる画像データは消去され、それによりユーザーが最も好みの画像を残すことができるにも関わらず、電子カメラの残り記憶容量の低下を抑制できる。
【０００６】
特許文献５では、被写体の笑顔検出を行って撮像することを、所定枚数まで繰り返すとする。
【０００７】
その他、本願発明に関係する先行技術として、下記の特許文献６〜９がある。
【先行技術文献】
【特許文献】
【０００８】
【特許文献１】特開２００１−３１３８９５号公報
【特許文献２】特開２００２−５７９７８号公報
【特許文献３】特開２００３−２０４５０４号公報
【特許文献４】特開２００２−２８１３６７号公報
【特許文献５】特開２００９−１０７７６号公報
【特許文献６】特開２００８−７８７１２号公報
【特許文献７】特開２００５−１０１９０３号公報
【特許文献８】特開２００７−２０１０４号公報
【特許文献９】特開２００９−３３４９１号公報
【発明の概要】
【発明が解決しようとする課題】
【０００９】
近年の電子カメラにおいては、半導体技術の進歩によりＤＲＡＭ（記憶保持動作が必要な随時書き込み読み出しメモリ）などのバッファメモリの大容量化、低価格化、画像処理プロセッサの高速化が進んでいる。このため、高速かつ十分な枚数の連写が可能な電子カメラが提供されるようになっている。
【００１０】
このように十分に連写数を確保できるようになっている一方で、たとえ連写速度が速くなり、連写可能数が多くなっても、撮影者の撮影タイミングが間に合わない、狙った被写体が画角内に捉えられていないなど、意図する画像を取得できない場合がある（人的要因によるずれ）。また、撮影者が撮影タイミングは合っていると思った場合でも、カメラの露出や、ＣＣＤ読み出しタイミングの遅れにより、撮影開始時点が撮影者の意図したタイミングよりもずれることも多い（ハードウェア要因によるずれ）。
【００１１】
また、多数撮像され保存される大量の画像をユーザの意図したものを的確に保存し、不必要な画像を煩雑な操作なく消去することは困難である。この点、特許文献１〜４では、ユーザ自身の操作によって個々の画像の要不要を入力する必要があり、ユーザの負担は軽減されない。
【００１２】
本発明は、連写が実施され多数保存される大量の画像からユーザの意図したものを的確に保存し、不必要な画像を煩雑な操作なく消去することを目的とする。
【課題を解決するための手段】
【００１３】
本発明に係る撮像装置は、連写撮影の可能な撮像部と、撮影モードの選択を受け付ける撮影モード選択部と、撮像部の連写撮影にて得られた画像である連写画像を、撮影モード選択部が選択を受け付けた撮影モードに対応する高解像度保存条件に適合する画像ならびに高解像度保存条件に適合しない画像に分類する画像分類部と、連写画像のうち、画像分類部が分類した撮影モードに対応する高解像度保存条件に適合する画像を第１の記録媒体に記録し、画像分類部が分類した撮影モードに対応する高解像度保存条件に適合しない画像を第２の記録媒体に記録する記録制御部と、電源供給停止時に、第２の記録媒体に記録された画像のうち、撮影モード選択部が選択を受け付けた撮影モードに対応する低解像度保存条件に適合する画像に基づいて低解像度画像を作成し第２の記録媒体に記録する低解像度画像作成部と、電源供給停止時に、第２の記録媒体に記録された画像のうち、撮影モード選択部が選択を受け付けた撮影モードに対応する低解像度保存条件に適合しない画像を消去する消去制御部と、を備える。
【００１４】
撮像部の連写撮影にて得られた画像である連写画像の単位を示す情報である連写画像単位情報を連写画像に付与する連写画像単位情報付与部と、第１の記録媒体に記録された画像を、同一の連写画像単位情報の付与された画像ごとに順次または同時に所定の表示装置に表示するよう制御する表示制御部と、所定の表示装置に表示された第１の記録媒体の画像と同一の連写画像単位情報の付与された第２の記録媒体の画像を表示するか否かの選択を受け付ける表示選択部と、を備え、表示制御部は、表示選択部が第２の記録媒体の画像を表示する選択を受け付けたことに応じて第２の記録媒体の画像を所定の表示装置に表示するよう制御し、消去制御部は、第２の記録媒体の画像のうち所定の表示装置に表示されなかった画像を消去する。
【００１５】
低解像度画像作成部は、電源供給停止時に連写画像のうち、第２の記録媒体に記録された画像のうち所定の表示装置に表示された画像に基づいて低解像度画像を作成し第２の記録媒体に記録する。
【００１６】
表示制御部は、表示選択部が第２の記録媒体の画像を表示する選択を受け付けたことに応じて第２の記録媒体の画像を第１の画像から第３の画像の順に所定の表示装置に表示するよう制御する。
【００１７】
第１の記録媒体に記録された、撮影モードに対応する高解像度保存条件に適合する画像の数を計数する計数部を備え、表示制御部は、撮像部による連写撮影の間、計数部の計数した画像の数を連写撮影のスルー画とともに表示する。
【００１８】
第１の記録媒体に記録された、撮影モードに対応する高解像度保存条件に適合する画像の数を計数する計数部と、所定の操作部を介して入力された所望の画像必要数と、計数部の計数した画像の数とを比較し、計数部の計数した画像の数が所望の画像必要数に達したか否かを判定し、判定の結果に応じて撮像部の連写撮影を終了する撮像制御部と、を備える。
【００１９】
画像分類部は、撮像部の連写撮影にて得られた画像である連写画像のうち、撮影モード選択部が選択を受け付けた撮影モードに対応する下位の条件に適合する第１の画像を、撮影モードに対応する高解像度保存条件に適合しない画像に分類し、撮影モードに対応する下位の条件よりも厳格な上位の条件に適合する第２の画像を撮影モードに対応する高解像度保存条件に適合する画像に分類し、上位の条件および下位の条件のいずれにも適合しない第３の画像を撮影モードに対応する高解像度保存条件に適合しない画像に分類する。
【００２０】
記録制御部は、第２の画像を第１の記録媒体に記録するとともに、第１の画像および第３の画像を第２の記録媒体に記録し、低解像度画像作成部は、電源供給停止時に、第２の記録媒体に記録された第１の画像に基づいて低解像度画像を作成して第２の記録媒体に記録し、消去制御部は、電源供給停止時に、第２の記録媒体に記録された第３の画像を消去する。
【００２１】
撮影モード選択部は、撮像部の連写撮影の終了後、所望の撮影モードの選択を受け付け、画像分類部は、撮影モード選択部が撮像部の連写撮影の終了後に選択を受け付けた撮影モードである連写後撮影モードが、撮像部の連写撮影の開始時に設定された撮影モードと異なる場合、撮像部の連写撮影で得られた画像を、連写後撮影モードに対応する高解像度保存条件に適合する画像ならびに高解像度保存条件に適合しない画像に分類し、記録制御部は、画像分類部が分類した連写後撮影モードに対応する高解像度保存条件に適合する画像を第１の記録媒体に記録し、画像分類部が分類した連写後撮影モードに対応する高解像度保存条件に適合しない画像を第２の記録媒体に記録する。
【００２２】
消去制御部は、撮像部の連写撮影の終了後、撮像部の連写撮影の開始時に設定された撮影モードと異なる撮影モードが選択されなかった場合、電源供給停止時に第２の記録媒体の画像を消去する。
【００２３】
本発明に係る画像管理方法は、撮像装置が、連写撮影の可能な撮像部の撮影モードの選択を受け付けるステップと、撮像部の連写撮影にて得られた画像である連写画像を、選択を受け付けた撮影モードに対応する高解像度保存条件に適合する画像ならびに高解像度保存条件に適合しない画像に分類するステップと、連写画像のうち、分類した撮影モードに対応する高解像度保存条件に適合する画像を第１の記録媒体に記録し、分類した撮影モードに対応する高解像度保存条件に適合しない画像を第２の記録媒体に記録するステップと、電源供給停止時に、第２の記録媒体に記録された画像のうち、選択を受け付けた撮影モードに対応する低解像度保存条件に適合する画像に基づいて低解像度画像を作成し第２の記録媒体に記録するステップと、電源供給停止時に、第２の記録媒体に記録された画像のうち、選択を受け付けた撮影モードに対応する低解像度保存条件に適合しない画像を消去するステップと、を実行する。
【００２４】
この画像管理方法を撮像装置に実行させるための画像管理プログラムも本発明に含まれる。
【発明の効果】
【００２５】
この発明によると、連写で得られた画像の中から、撮影モードに対応する高解像度保存条件に適合した画像と、そうでない画像を分類し、高解像度保存条件に適合した画像のみを第１の記録媒体に保存し、高解像度保存条件に適合しない画像を第２の記録媒体に保存する。また、第２の記録媒体の画像のうち、撮影モードに対応する低解像度保存条件に適合する画像を縮小して第２の記録媒体に保存し、ユーザが望まない画像のみを第２の記録媒体から消去する。よって、ユーザが多数の連写画像の中から残したい画像あるいは残したくない画像を１つ１つ選別する手間が省ける。
【図面の簡単な説明】
【００２６】
【図１】第１実施形態のカメラのブロック図
【図２】第１実施形態のカメラの実行する処理のフローチャート
【図３】条件の一例を示す図
【図４】第１実施形態のカメラの実行する処理のフローチャート
【図５】連写画像の一例を示す図
【図６】第２実施形態のカメラのブロック図
【図７】第２実施形態のカメラの実行する処理のフローチャート
【図８】第３実施形態のカメラのブロック図
【図９】第３実施形態のカメラの実行する処理のフローチャート
【図１０】条件を満たす画像数の表示例を示す図
【図１１】第４実施形態のカメラのブロック図
【図１２】第４実施形態のカメラの実行する処理のフローチャート
【図１３】第５実施形態のカメラのブロック図
【図１４】第５実施形態のカメラの実行する処理のフローチャート
【図１５】連写撮影後の撮影モード選択画面の一例を示す図
【発明を実施するための形態】
【００２７】
＜第１実施形態＞
図１はデジタルカメラ１のブロック図を示す。撮像部は、フォーカスレンズ、ズームレンズを含むレンズ系１１、絞り、ＣＣＤ１２、撮像プロセス部１３、レンズ系１１のフォーカスレンズ、ズームレンズを駆動する手段であるＡＥ・ＡＦ機構１６を含んでいる。レンズ系１１は１枚又は複数枚のレンズで構成され、例えば単一の焦点距離（固定焦点）のレンズで構成される。
【００２８】
レンズ系１１を介してＣＣＤ１２の受光面に結像された被写体像は、各センサで入射光量に応じた量の信号電荷に変換される。このようにして蓄積された信号電荷は、タイミング生成器１５から加えられるＣＣＤ駆動パルスによって読み出され、信号電荷に応じた電圧信号（アナログ画像信号）として順次ＣＣＤ１２から撮像プロセス部１３に出力される。
【００２９】
ＣＣＤ１２には、シャッターゲートを介してシャッタードレインが設けられており、シャッターゲートをシャッターゲートパルスによって駆動することにより、蓄積した信号電荷をシャッタードレインに掃き出すことができる。すなわち、ＣＣＤ１２は、シャッターゲートパルスによって各センサに蓄積される電荷の蓄積時間（シャッタースピード）を制御する、いわゆる電子シャッター機能を有している。
【００３０】
ＣＣＤ１２から読み出された信号は、撮像プロセス部１３において相関二重サンプリング（ＣＤＳ）処理されるとともに、Ｒ，Ｇ，Ｂの各色信号に色分離処理され、各色信号の信号レベルの調整が行われる。
【００３１】
これら所定のアナログ信号処理を経た画像信号は、Ａ/Ｄ変換器１４に加えられ、このＡ/Ｄ変換器１４によりＲ，Ｇ，Ｂのデジタル信号に変換された後、ＲＡＭ１９に一時的に格納される。
【００３２】
タイミング生成器（ＴＧ）１５は、メインプロセッサ（ＣＰＵ、中央処理装置）２０からのコマンドに応じてＣＣＤ１２、撮像プロセス部１３及びＡ/Ｄ変換器１４に対して適宜のタイミング信号を与えており、各回路はＴＧ１５から加えられるタイミング信号により同期して駆動されるようになっている。
【００３３】
制御部２０ｄは、デジタルカメラ１の各回路を統括制御するメインプロセッサ２０の処理単位（モジュール）の一部であり、データバス１０を介してタイミング生成器１５、ＡＥ・ＡＦ機構１６、撮像プロセス部１３、メモリコントローラ１８、記録／再生インターフェース２７、顔検出部１７ｂ、笑顔検出部１７ｃと接続されている。
【００３４】
また、制御部２０ｄには、レリーズボタン２２、操作キー２３、コントロールパネル２５が接続されている。
【００３５】
表示用液晶パネル３０には、デジタルカメラ１の各種設定や、使用モード、状態等が表示される。
【００３６】
ＲＯＭ３１には、後述する条件、撮影制御ルーチンのプログラムや、プログラムの実行に必要なパラメータその他のデータが記憶されている。ＲＯＭ３１はフラッシュメモリのような書き換え可能な媒体で構成する。
【００３７】
メインプロセッサ２０は操作キー２３（あるいはタッチパネルのような操作手段）からの入力信号に基づいて対応する回路ブロックを制御するとともに、レンズ系１１のズーミング動作や自動焦点調節（ＡＦ）動作の制御、並びに自動露出調節（ＡＥ）の制御等を行う。
【００３８】
操作キー２３には、電源スイッチ、カメラのモード選択手段、ズーム操作手段、その他の各種の入力手段が含まれる。これら入力手段は、スイッチボタン、ダイヤル、スライド式ツマミなど種々の形態があり、タッチパネルや表示用液晶パネル３０表示部の画面上において設定メニューや選択項目を表示してカーソルで所望の項目を選択する態様もある。この操作キー２３はデジタルカメラ１に配設されているが、リモコン送信機としてデジタルカメラ１本体と分離した構成にすることも可能である。
【００３９】
メインプロセッサ２０の制御部２０ｄは、ＣＣＤ１２やＣＭＯＳその他の撮像素子から出力される画像信号に基づいて、焦点評価演算やＡＥ演算などの各種演算を行い、その演算に基づいて、ＡＥ・ＡＦ機構１６の駆動手段（例えば、ＡＦモータやアイリスモータ等）を制御してフォーカスレンズを合焦位置に移動させるとともに、絞りを適正絞り値に設定する。
【００４０】
例えば、ＡＦ制御には、Ｇ信号の高周波成分が最大になるようにフォーカスレンズを移動させるコントラストＡＦ方式が採用される。ＡＥ制御には、１フレームのＲ、Ｇ、Ｂ信号を積算した積算値に基づいて被写体輝度（撮影ＥＶ）を求め、この撮影ＥＶに基づいて絞り値とシャッタースピードを決定し、ＡＥ・ＡＦ機構１６を介して絞りを駆動するとともに、決定したシャッタースピードとなるように電子シャッターによってＣＣＤ１２の電荷の蓄積時間を制御する。したがって、デジタルカメラ１のレンズ系１１を被写体に向けるだけで、最適な露出調整が行われるとともに、ピント合わせが自動的に行われる。
【００４１】
撮影記録時においては、レリーズボタン２２の「半押し」時に上述した測光動作を複数回繰り返して正確な撮影ＥＶを求め、この撮影ＥＶに基づいて撮影時の絞り値とシャッタースピードを最終的に決定する。そして、レリーズボタン２２の「全押し」時に最終的に決定した絞り値になるように絞りを駆動し、また、決定したシャッタースピードとなるように電子シャッターによって電荷の蓄積時間を制御する。なお、ＡＥ、ＡＦはＣＣＤ１２から取得される画像信号に基づいて制御する方法の他、周知の測光センサやＡＦ投光／受光センサからなる測距センサ等を用いてもよい。
【００４２】
Ａ/Ｄ変換器１４から出力されたデータはＲＡＭ１９に格納されるとともに、積算回路に加えられる。画像処理部２０ａは、撮影画面を複数のブロック（例えば、８×８の６４個のブロック）に分割し、複数のブロック毎に受入したＧ信号の積算演算を行う。なお、Ｒ、Ｇ、Ｂのデータから輝度信号（Ｙ信号）を生成して、輝度信号の積算演算を行ってもよい。また、画像処理部２０ａはＡＥ演算回路で兼用することもできる。画像処理部２０ａで得られた積算値の情報（演算結果）はメインプロセッサ２０に入力される。
【００４３】
メインプロセッサ２０の制御部２０ｄは画像処理部２０ａからの情報に基づき、所定のアルゴリズムに従って撮影画面の評価値Ｅを算出し、求めた評価値Ｅを用いて撮像プロセス部１３におけるゲイン値（増幅率）を決定する。メインプロセッサ２０は決定したゲイン値に従って撮像プロセス部１３におけるゲイン量を制御する。
【００４４】
ＲＡＭ１９に記憶されたＲ、Ｇ、Ｂの画像データは画像処理部２０ａに送られ、ここで増幅処理される。増幅処理された画像データは、画像処理部２０ａにおいて、ガンマ補正処理が施された後、ＲＧＢデータから輝度信号（Ｙ信号）及び色差信号（Ｃr,Ｃb信号）に変換される。なお、メインプロセッサ２０は、必要に応じてホワイトバランス処理なども行うことができる。
【００４５】
画像処理部２０ａにおいて生成された輝度・色差信号（ＹＣ信号と略記する）は、ＲＡＭ１９に書き戻される。ＲＡＭ１９に記憶されたＹＣ信号は表示制御部２０ｃに供給され、所定方式の信号（例えば、ＮＴＳＣ方式のカラー複合映像信号）に変換されて表示用液晶パネル３０に出力される。表示用液晶パネル３０には液晶ディスプレイその他のカラー表示可能な表示装置が用いられる。なお、表示用液晶パネル３０はＹＣ信号入力対応のタイプのものを適用してもよいし、ＲＧＢ信号入力タイプのものを適用してもよく、表示装置に対応したドライバが適用される。
【００４６】
ＣＣＤ１２から出力される画像信号によって画像データが定期的に書き換えられ、その画像データから生成される映像信号が表示用液晶パネル３０に供給されることにより、ＣＣＤ１２が捉える画像がリアルタイムに動画像（スルー画像）として、又はリアルタイムではないが、ほぼ連続した画像として表示用液晶パネル３０に表示される。
【００４７】
表示用液晶パネル３０は電子ビューファインダーとして利用でき、撮影者は表示用液晶パネル３０の表示画像又はファインダーによって撮影画角を確認することができる。レリーズボタン２２の押下操作など所定の記録指示（撮影開始指示）操作に呼応して、記録用の画像データの取り込みが開始される。
【００４８】
撮影者がレリーズボタン２２から撮影記録の指示を入力すると、メインプロセッサ２０は必要に応じて圧縮伸張処理部２０ｂにコマンドを送り、これにより圧縮伸張処理部２０ｂはＲＡＭ１９上のＹＣデータをＪＰＥＧその他の所定の形式に従って圧縮する。圧縮された画像データは、記録／再生インターフェース２７と接続された記録媒体スロット２８に差し込まれた第１の記録媒体２９に記録される。
【００４９】
第１の記録媒体２９および第２の記録媒体３２は、それぞれ物理的または論理的に別個の媒体であるが、その構成は任意であり、共に情報の書き換えが可能な不揮発性記録媒体である点で相違はない。例えばスマートメディア、ＰＣカード、マイクロドライブ、マルチメディアカード（ＭＭＣ）、磁気ディスク（フレキシブルディスク、ＨＤＤ）、光ディスク（ＣＤ−ＲＷ、ＤＶＤ−ＲＷ）、光磁気ディスク（ＭＯ）、磁気テープ（ＤＡＴ）、メモリスティックなど種々の形態が可能であり、使用される媒体に応じた信号処理手段とインターフェースが適用される。ただし、重要な画像はパソコンやプリンタに取り込む可能性が高いため、第１の記録媒体２９は可搬性記録媒体であることが好ましい。また、以下の処理では、ユーザの意図に沿わない画像を格納する第２の記録媒体３２はフラッシュメモリのような内蔵記録媒体であるとするが、可搬性記録媒体であってもよい。さらに、パーティション、フォルダ、ディレクトリなど同一の不揮発性記録媒体に論理的な区分を設け、その各々を第１の記録媒体２９および第２の記録媒体３２としてもよい。
【００５０】
また、再生モード時には第１の記録媒体２９から読み出された画像データが圧縮伸張処理部２０ｂによって伸張処理され、表示制御部２０ｃを介して表示用液晶パネル３０に出力される。
【００５１】
メインプロセッサ２０は、データバス１０を介して通信部５９と接続されている。通信部５９は、通信網を通してユーザーのパーソナルコンピュータ（ＰＣ）やプリンタなどと通信するためのインターフェースであり、例えばＵＳＢ（Universal Serial Bus）や、ＩＥＥＥ１３９４等のインターフェースを用いることができる。
【００５２】
顔検出部１７ｂは、連写画像の各々について顔検出を行う。笑顔検出部１７ｃは、画像から笑顔の検出を行う。笑顔の検出方法は公知のものが採用でき、例えば特許文献５と同様に行う。
【００５３】
図２は、メインプロセッサ２０の実行する画像処理のフローチャートである。この処理をメインプロセッサ２０に実行させるためのプログラムはＲＯＭ３１に記憶されている。
【００５４】
Ｓ１では、制御部２０ｄは操作キー２３から笑顔検出モードが設定されたか否かを判断する。笑顔検出モードが設定されたらＳ２に進む。
【００５５】
Ｓ２では、制御部２０ｄは操作キー２３から連写撮影モードおよび通常撮影モードのいずれが設定されたか否かを判断する。連写撮影モードが設定された場合はＳ３に進む。通常撮影モードが設定た場合はＳ１０に進み、通常撮影すなわちレリーズボタン２２の押下に応じた単一の画像の取得を行う。
【００５６】
Ｓ３では、制御部２０ｄはレリーズボタン２２が半押し（Ｓ１オン）されたか否かを判断する。レリーズボタン２２が半押しされたらＳ３４に進む。
【００５７】
Ｓ４では、制御部２０ｄは自動焦点調節（ＡＦ）動作の制御、並びに自動露出調節（ＡＥ）の制御を行う。
【００５８】
Ｓ５では、制御部２０ｄはレリーズボタン２２が全押し（Ｓ２オン）されたか否かを判断する。レリーズボタン２２が全押しされたらＳ６に進む。
【００５９】
Ｓ６では、制御部２０ｄは連写（連続した所定の複数回の撮影を行なって所定の複数枚の画像を生成する動作のこと）を行うようＣＣＤ１２、撮像プロセス部１３、Ａ／Ｄ変換器１４その他の撮像系を制御し、連写で得られた画像をＲＡＭ１９に保存する。
【００６０】
Ｓ７では、画像分類制御部２０ｇは、ＲＯＭ３１から、Ｓ１で設定された撮影モードすなわち笑顔検出モードに対応する条件を識別する。本処理では、ＲＯＭ３１に「笑顔検出モード」に対応づけて格納されている条件は、条件１（低解像度保存条件）＝「画像中に少なくとも１つの顔領域が存在すること」、条件２（高解像度保存条件）＝「画像中の顔領域が笑顔であること」であるとする。条件２は、条件１を前提とする条件であり、条件１よりも厳しい。
【００６１】
ただし、撮影モードに対応した条件は上記のものに限らず、操作キー２３の選択操作に応じて画像分類制御部２０ｇが任意に設定できる。例えば、手ぶれ防止モードに対応する条件１および２として、条件１（低解像度保存条件）＝「画像中に少なくとも１つの顔領域が存在すること」、条件２（高解像度保存条件）＝「手ぶれが発生していないこと」とできる。あるいは、上記の条件１（低解像度保存条件）に「画像を表示したこと」を加重してもよい。条件１（低解像度保存条件）はユーザが選択した撮影モードに対応して最低希望する条件、条件２（高解像度保存条件）はユーザが最も望ましいと思う条件である。複数の条件間に論理的な包含関係があってもよいしなくてもよい。また、条件は３つ以上でもよい。
【００６２】
制御部２０ｄが当該条件１を識別したことに応じ、顔検出部１７ｂは、ＲＡＭ１９に保存された連写画像の各々について顔検出を行い、顔検出の有無を示す顔検出フラグを第２の記録媒体３２の個々の画像に付与する。例えば、顔が検出されれば「１」、顔が検出されなければ「０」の値を個々の画像に付与する。
【００６３】
画像分類制御部２０ｇは、顔検出フラグの内容とＲＯＭ３１の条件１に応じて、画像を分類する。すなわち、図３に示すように、条件１に適合する画像は「グループ１」、条件１に適合しない画像は「グループ３」に分類する。制御部２０ｄは、個々の画像に付与された顔検出フラグを参照し、顔検出フラグが顔検出有りを示す「１」であればＳ８、顔検出フラグが顔検出なしを示す「０」であればＳ１１に進む。
【００６４】
Ｓ８では、笑顔検出部１７ｃは、顔検出有りを示す顔検出フラグ「１」が付与された「グループ１」の顔検出画像から笑顔を検出し、笑顔検出の有無を示す笑顔検出フラグをＲＡＭ１９の個々の顔検出画像に付与する。例えば、笑顔が検出されれば「１−１」、笑顔が検出されなければ「１−０」の値を個々の顔検出画像に付与する。画像分類制御部２０ｇは、笑顔検出フラグの内容に応じて、画像を分類する。
【００６５】
すなわち、図３に示すように、条件２に適合する画像は「グループ２」に分類し、条件１に適合するが条件２に適合しない画像は「グループ１」の分類のままとし、条件１に適合しない画像は「グループ３」に分類する。
【００６６】
制御部２０ｄは、個々の画像に付与された顔検出フラグを参照し、笑顔検出フラグが笑顔検出有りを示す「１−１」であればＳ９、笑顔検出フラグが笑顔検出無しを示す「１−０」であればＳ１３に進む。
【００６７】
Ｓ９では、制御部２０ｄは、笑顔検出有りを示す顔検出フラグ「１−１」が付与された「グループ２」の画像の全てを、ＲＡＭ１９から第１の記録媒体２９に移動して保存する。これにより、被写体が笑顔というユーザの希望する条件を満たす画像が第１の記録媒体２９に確保される。よって、ユーザが連写画像から自分の希望する条件に合う画像を探し出して第１の記録媒体２９に手動操作でいちいち移動する必要がなくなる。
【００６８】
Ｓ１１では、制御部２０ｄは、顔検出なしを示す顔検出フラグ「０」が付与された画像を、ＲＡＭ１９から第２の記録媒体３２に保存する。なお、顔検出の有無あるいは笑顔検出の有無に関わらず、ピンボケ、白飛び、黒つぶれ、手ぶれその他の失敗画像に顔検出フラグ「０」を付与して第２の記録媒体３２に記録してもよい。
【００６９】
Ｓ１２では、Ｓ１１で第２の記録媒体３２に保存された画像に対応づけてフラグ「０」を保存する。顔検出フラグは画像ファイルのヘッダやメタ情報として保存してもよい。
【００７０】
Ｓ１３では、顔検出ありかつ笑顔検出なしを示す笑顔検出フラグ「１−０」が付与された画像、すなわち「グループ１」の画像を、ＲＡＭ１９から第２の記録媒体３２に移動して保存する。
【００７１】
Ｓ１４では、Ｓ１１で第２の記録媒体３２に保存された「グループ１」の画像に対応づけてフラグ「１−０」を保存する。顔検出フラグは画像ファイルのヘッダやメタ情報として保存してもよい。
【００７２】
Ｓ１５では、制御部２０ｄは、操作キー２３の電源スイッチが押され電源オフが指示されたか否かを判断する。Ｙｅｓの場合はＳ１６に進み、Ｎｏの場合はＳ１９に進んで撮影（連写、通常いずれでも可）を継続できる。なお、撮影が継続していき、ＲＡＭ１９の画像バッファが満杯になると、既存の画像を古いものから順に新しく撮影された画像で上書きする。
【００７３】
Ｓ１６では、自動消去実行部２０ｆは、第２の記録媒体３２に保存されたフラグ「０」が対応づけられている「グループ３」の画像が存在するか否かを判断する。Ｙｅｓの場合はＳ１７、Ｎｏの場合はＳ１８に進む。
【００７４】
Ｓ１７では、自動消去実行部２０ｆは、第２の記録媒体３２に保存されたフラグ「０」が対応づけられている「グループ３」の画像を消去する。これにより、ユーザの希望した緩い方の条件１にも適合しない画像は、電源オフ時に消去される。よって、ユーザが連写画像から自分の希望する条件に合わない画像を探し出していちいち消去する必要がなくなる。ただし、保存しておきたい画像があれば電源オフ時までにその画像を第１の記録媒体２９などに退避させて消去を免れることもできる。
【００７５】
Ｓ１８では、間引画像作成部２０ｅは、第２の記録媒体３２に保存されたフラグ「１−０」が対応づけられている「グループ１」の画像が存在するか否かを判断する。Ｙｅｓの場合はＳ２０、Ｎｏの場合はＳ１９に進んで、撮影を継続する。
【００７６】
Ｓ２０では、間引画像作成部２０ｅは、「グループ１」の画像の各々を所定の間引き率によって間引くことで、「グループ１」の画像の各々に対応する低解像度画像を作成する。低解像度画像は、少なくともオリジナルの連写画像の解像度よりも低い解像度である。例えば、オリジナル画像がＶＧＡであれば、低解像度画像はＱＶＧＡとする。そして、「グループ１」のオリジナル画像に代えて、当該低解像度画像を第２の記録媒体３２に上書き保存する。これにより、ユーザの希望した緩い方の条件１「画像中に少なくとも１つの顔領域が存在すること」には適合するが、厳しい方の条件２「画像中の顔領域が笑顔であること」には適合しない画像は、低解像度で保存される。よって、ユーザが連写画像から自分の希望する条件に合う画像を探し出して第２の記録媒体３２に手動操作でいちいち移動する必要がなくなる。また、オリジナルの解像度のまま保存しておきたい画像があれば電源オフ時までにその画像を第１の記録媒体２９などに退避させることもできる。
【００７７】
図４は画像処理のフローチャートの他の例である。この処理は、操作キー２３から「目瞑り検出モード」が設定されたことに応じてＳ２以降に進み、また、ＲＯＭ３１には、「目瞑り検出モード」に対応する条件１＝「画像中に少なくとも１つの顔領域が存在すること」、条件２＝「画像中の顔領域が目瞑りでないこと」が格納されている点を除いて、図２と同様である。よって、処理の流れそのものは図２と同様であるので、詳細は省略する。
【００７８】
この処理の結果、ユーザの希望した緩い方の条件１「画像中に少なくとも１つの顔領域が存在すること」には適合するが、厳しい方の条件２「画像中の顔領域が目瞑りでないこと」には適合しない画像は、低解像度で第２の記録媒体３２に保存される。また、条件２に適合する画像は第１の記録媒体２９に保存される。また、条件１に適合しない画像は、第２の記録媒体３２に保存され、電源オフ時に消去される。
【００７９】
図５は制御部２０ｄにより分類される画像の一例を示す。このうち、図５（ａ）は連写（Ｓ６）で得られた画像、図５（ｂ）は第１の記録媒体２９に保存される笑顔の検出された画像を示す。図５（ｃ）は顔の検出された画像で、第２の記録媒体３２に低解像度で保存される画像を示す。図５（ｄ）は顔の検出されなかった画像で、第２の記録媒体３２に保存されるが、電源オフ時に消去される画像を示す。図５（ｂ）および図５（ｃ）の画像は電源スイッチがオフになっても消えないが、図５（ｄ）の画像は、電源スイッチがオフになると消える。
【００８０】
つまり、ユーザが笑顔検出モードを選択すると、笑顔の検出された画像が最もユーザの意図に合った被写体を撮影した画像とみなせるから、第１の記録媒体２９に保存する。逆にユーザの意図に全く合わない顔の検出されなかった画像を消すことで、連写で得られた画像の中からユーザが望む画像のみを的確に保存できる。
【００８１】
以上のように、連写画像から、ユーザが選択した撮影モードに対応する条件に合った画像と合わない画像を分類して別々の記録媒体に記録するから、ユーザが望む画像を特定の記録媒体に的確に分類して保存でき、必要のない画像をユーザが１枚ずつ確認して消したり別の記録媒体に移動したりする必要がない。
【００８２】
＜第２実施形態＞
図６は第２実施形態に係るデジタルカメラ１のブロック図である。第１実施形態と同様の構成および機能を有するブロックには同一の符号を付しており、説明は省略する。本実施形態では、メインプロセッサ２０のモジュールとして表示選択部２０ｈが追加されている。
【００８３】
図７は、メインプロセッサ２０の実行する画像処理のフローチャートである。この処理をメインプロセッサ２０に実行させるためのプログラムはＲＯＭ３１に記憶されている。この処理は、第１実施形態と同様にしてフラグの付与された画像が分類された後に行われるものとする。すなわち、この処理は、第１実施形態のＳ１９以降に実行される。
【００８４】
Ｓ２１は第１実施形態のＳ１９と同様である。
【００８５】
Ｓ２２では、表示選択部２０ｈは、操作キー２３から画像の再生ないしポストビュー（撮影直後の画像表示）が指示されたか否かを判断する。Ｙｅｓの場合はＳ２３、Ｎｏの場合はＳ２１に進む。
【００８６】
Ｓ２３では、表示制御部２０ｃは、第１の記録媒体２９に保存された条件２に適合する「グループ２」の画像（第１実施形態でいう笑顔の検出された画像または目瞑りでない画像）を読み出し、その映像信号を表示用液晶パネル３０に出力する。この際、表示制御部２０ｃは、同一の連写単位に属する画像（同一の撮像指示に対応して撮影された画像群として制御部２０ｄがその撮像指示に対応する連写単位の識別情報をヘッダ情報やタグ情報に付与された画像）を１つの表示単位として分類した上、１つの表示単位に属する画像を順次または同時に表示する。どの連写単位を表示するかを操作キー２３で指定できてもよい。
【００８７】
Ｓ２４では、表示制御部２０ｃは、表示中の連写単位と同一の連写単位に属する「グループ１」の画像が第２の記録媒体３２に記録されていれば、そのような第２の記録媒体３２の画像を表示するか否かの確認を促す情報、例えば「撮影モードに完全には沿わない可能性のある連写画像の続きがありますが、表示しますか？」というメッセージを表示用液晶パネル３０に表示する。あるいは、連写画像の続きを示すアイコンを表示用液晶パネル３０に表示する。あるいはスピーカや音声再生手段にて同様のメッセージを再生してもよい。表示選択部２０ｈは、操作キー２３の操作あるいは図示しないタッチパネルによるアイコンの選択により、当該第２の記録媒体３２の画像の再生またはポストビュー（撮影直後の画像表示）の開始が指示されたか否かを判断する。Ｙｅｓの場合はＳ２５、Ｎｏの場合はＳ２６に進む。
【００８８】
Ｓ２５では、表示制御部２０ｃは、第２の記録媒体３２に保存された「グループ１」の画像の中で表示中の連写単位と同一の連写単位に属するものを読み出し、その画像の映像信号を表示用液晶パネル３０に出力する。
【００８９】
Ｓ２６では、表示制御部２０ｃは、表示中の連写単位と同一の連写単位に属する「グループ３」の画像が第２の記録媒体３２に記録されていれば、そのような第２の記録媒体３２の画像を表示するか否かの確認を促す情報、例えば「撮影モードに全く沿わない可能性のある連写画像の続きがありますが、表示しますか？」というメッセージを表示用液晶パネル３０に表示する。あるいは、連写画像の続きを示すアイコンを表示用液晶パネル３０に表示する。あるいはスピーカや音声再生手段にて同様のメッセージを再生してもよい。表示選択部２０ｈは、操作キー２３の操作あるいは図示しないタッチパネルによるアイコンの選択により、当該第２の記録媒体３２の画像の再生またはポストビュー（撮影直後の画像表示）の開始が指示されたか否かを判断する。Ｙｅｓの場合はＳ２７、Ｎｏの場合はＳ２８に進む。
【００９０】
Ｓ２７では、表示制御部２０ｃは、第２の記録媒体３２に保存された「グループ３」の画像の中で表示中の連写単位と同一の連写単位に属するものを読み出し、その画像の映像信号を表示用液晶パネル３０に出力する。
【００９１】
Ｓ２８では、Ｓ１５と同様の判断を行う。Ｙｅｓの場合はＳ３０、Ｎｏの場合はＳ２９に進む。
【００９２】
Ｓ２９では、画像の再生を継続する。
【００９３】
Ｓ３０では、Ｓ２４にてグループ１の画像を表示する指示があったか否かを判断する。Ｙｅｓの場合はＳ３３、Ｎｏの場合はＳ３１に進む。
【００９４】
Ｓ３１では、電源スイッチによる電源オフの指示が入力されたことに応じて第２の記録媒体３２に保存された「グループ１」の画像を消去し、その後Ｓ３２に進んでデジタルカメラ１の電源を切る。あるいは、Ｓ３１の終了後Ｓ３４に進んでもよい。
【００９５】
Ｓ３３は、Ｓ２０と同様である。これにより、グループ１の低解像度画像が第２の記録媒体３２に保存される。つまり「低解像度保存条件＝画像が再生されたこと」を満たすグループ１の画像の低解像度画像が第２の記録媒体３２に保存される。
【００９６】
Ｓ３４では、Ｓ２６にてグループ３の画像を表示する指示があったか否かを判断する。Ｙｅｓの場合はＳ３５、Ｎｏの場合はＳ３７に進む。
【００９７】
Ｓ３５では、電源スイッチによる電源オフの指示が入力されたことに応じ、「グループ３」の画像の各々を所定の間引き率（少なくともオリジナルの連写画像の解像度よりも低い解像度）によって間引くことで、「グループ３」の画像の各々に対応する低解像度画像を作成する。そして、「グループ３」の画像に代えて、当該低解像度画像を第２の記録媒体３２に上書き保存する。つまり「低解像度保存条件＝画像が再生されたこと」を満たすグループ３の画像の低解像度画像が第２の記録媒体３２に保存される。その後Ｓ３６に進んでデジタルカメラ１の電源を切る。
【００９８】
Ｓ３７では、電源スイッチによる電源オフの指示が入力されたことに応じて第２の記録媒体３２に保存された「グループ３」の画像を消去し、その後Ｓ３８に進んでデジタルカメラ１の電源を切る。
【００９９】
以上のように、ユーザが撮影済みの連写画像を表示画面で確認する際、まず撮影モードに応じてユーザの意図通りと予測される第１の記録媒体２９の連写画像を表示した後、意図にあまり沿わないと予測される第２の記録媒体３２の第１の画像を表示するか否かの確認入力、意図に全く沿わないと予測される第２の記録媒体３２の第２の画像を表示するか否かの確認入力を順次促す。確認入力があれば、第２の画像（図５（ｂ））の表示後は、第１の画像（図５（ｃ））、第３の画像（図５（ｄ））の順に表示する。第２の記録媒体３２の連写画像（第１の画像、第３の画像）が表示されたのであればその画像は低解像度画像として残し、表示されなければ電源オフ時に削除する。このように、ポストビュー表示で確認されなかった画像を自動的に削除することで、不要な数多くの画像を無駄に確認させたり保存したりする必要がなくなる。
【０１００】
＜第３実施形態＞
図８は第３実施形態に係るデジタルカメラ１のブロック図である。既出の実施形態と同様の構成および機能を有するブロックには同一の符号を付しており、説明は省略する。本実施形態では、メインプロセッサ２０のモジュールとして検出画像数表示部２０ｊ、笑顔画像数検出部２９ｋが追加されている。また、ジャイロセンサ１７ｄは、カメラ１のぶれ角を検出し、その検出したぶれ角をメインプロセッサ２０に送信する。メインプロセッサ２０は、ジャイロセンサ１７ｄからのぶれ角が所定の値以上であれば、手ぶれが発生したと判断する。
【０１０１】
図９は、メインプロセッサ２０の実行する画像処理のフローチャートである。この処理をメインプロセッサ２０に実行させるためのプログラムはＲＯＭ３１に記憶されている。この処理は、第１実施形態のＳ１〜４の実行後に実行される。あるいは、第１実施形態のＳ１９の実行後にＳ４９以降を実行してもよい。
【０１０２】
Ｓ４１、４２、４３は、それぞれ第１実施形態のＳ５、６、７と同様である。また、Ｓ４４、４５、４７、４８はそれぞれ第１実施形態のＳ８、９、１１、１３と同様である。ただし、Ｓ４５の後はＳ４６に進む。
【０１０３】
Ｓ４６では、笑顔画像数検出部２０ｋは、第１の記録媒体２９に保存された「グループ２」の画像の総数をカウントし、Ｓ４９に進む。
【０１０４】
Ｓ４９では、検出画像数表示部２０ｊは、笑顔画像数検出部２０ｋがカウントした「グループ２」の画像の総数を表示するよう表示制御部２０ｃに指示する。表示制御部２０ｃは、ＯＳＤ信号回路により、当該画像の総数を示す映像信号を生成し、これをスルー画像に混合して表示用液晶パネル３０に供給する。これにより、表示用液晶パネル３０には、当該画像の総数が連写撮影中のスルー画像に重畳されて表示される（図１０参照）。あるいは、連写撮影中にブラックアウトした画面に当該画像の総数を表示してもよい。
【０１０５】
Ｓ５０はＳ１９と同様である。
【０１０６】
Ｓ５１は電源スイッチ操作で電源オフが指示されたか否かを判断し、当該指示がされた場合はＳ５２に進み、されない場合はＳ５０に戻る。
【０１０７】
Ｓ５２では、第２の記録媒体３２の「グループ１」の画像、「グループ３」の画像を消去する。なお、第２の記録媒体３２の画像を一律消すのでなく、Ｓ１６〜Ｓ２０のように、顔の検出されなかったフラグ「０」の画像を消去し、顔は検出されたが笑顔でないフラグ「１−０」の画像を間引いて保存してもよい。また、条件２に笑顔検出以外の条件、例えば目瞑りなしを設定しても上記の処理は成り立つ。
【０１０８】
連写撮影において、連写間隔が短い高速撮影を行うと、顔検出されたことはスルー画像から判断できるが、より細かい部分である笑顔が記録できたかを判断することは難しい。しかし、上記の処理によると、撮影中に条件を満たす画像の数が表示され、ユーザにとって満足のいく画像が何枚撮影されたかが容易に分かる。
【０１０９】
＜第４実施形態＞
図１１は第４実施形態に係るデジタルカメラ１のブロック図である。既出の実施形態と同様の構成および機能を有するブロックには同一の符号を付しており、説明は省略する。本実施形態では、メインプロセッサ２０のモジュールとして検出画像数表示部２０ｊ、笑顔画像数検出部２０ｋが追加されている。
【０１１０】
図１２は、メインプロセッサ２０の実行する画像処理のフローチャートである。この処理をメインプロセッサ２０に実行させるためのプログラムはＲＯＭ３１に記憶されている。  
【０１１１】
Ｓ６１はＳ１と同様である。
【０１１２】
Ｓ６２では、必要画像数入力部２０ｌは、操作キー２３を介して、ユーザの設定した条件２に合う画像の必要枚数の入力を受け付ける。入力する枚数は任意であるが、連写総数を超えないものとする。
【０１１３】
Ｓ６３は、Ｓ２と同様の判断を行い、連写撮影の開始が指示された場合はＳ６５、通常撮影の開始が指示された場合はＳ６４に進む。
【０１１４】
Ｓ６４はＳ１０と同様である。
【０１１５】
Ｓ６５〜Ｓ６８はそれぞれＳ３〜Ｓ６と同様である。
【０１１６】
Ｓ６９では、Ｓ７およびＳ８と同様にして、第２の記録媒体３２に記憶された画像を、グループ１〜３に分類する。
【０１１７】
Ｓ７０では、フラグ「０」または「１−０」の付与された画像、すなわち、条件２に適合しない笑顔の検出されなかった画像を第２の記録媒体３２に記憶したままにする。ただし、笑顔検出以外の条件、例えば目瞑りなしを設定しても本処理は成り立つ。第２の記録媒体３２に記憶された画像については、第１実施形態と同様、フラグ「０」の画像は消去し、フラグ「１−０」の画像は間引いて保存することができる。あるいは、第２実施形態と同様、表示された画像は間引いて保存し、表示されない画像は消去することができる。
【０１１８】
Ｓ７１では、フラグ「１−１」の付与された画像、すなわち、笑顔の検出されなかった画像を第１の記録媒体２９に移動して記憶する。
【０１１９】
Ｓ７３は、Ｓ４９と同様である。
【０１２０】
Ｓ７４では、画像枚数比較部２０ｍは、Ｓ６２で入力された必要画像枚数と、笑顔画像数検出部２０ｋがカウントした第１の記録媒体２９の「グループ２」の画像数とを比較し、「グループ２」の画像数＜入力された必要画像枚数であるか否かを判断する。Ｙｅｓの場合はＳ７５、Ｎｏの場合はＳ７６に進む。
【０１２１】
Ｓ７５は、連写を繰り返す。ただし、連写によって新たに画像が得られるごとにＳ７４の判断を繰り返す。
【０１２２】
Ｓ７６は、連写撮影モードを終了し、Ｓ７７では、「グループ１」の画像をＲＡＭ１９から第１の記録媒体２９に移動して記憶する。
【０１２３】
Ｓ７８はＳ５２と同様である。
【０１２４】
このように、事前に条件に合う画像が何枚必要なのかを入力しておき、その枚数に合う画像が得られたら自動的に連写を終了する。このためユーザは、撮影中に表示用液晶パネル３０を見て自分の希望する条件に合った画像が希望枚数に達したかを確認しなくてすむ。
【０１２５】
＜第５実施形態＞
図１３は第５実施形態に係るデジタルカメラ１のブロック図である。既出の実施形態と同様の構成および機能を有するブロックには同一の符号を付しており、説明は省略する。本実施形態では、メインプロセッサ２０のモジュールとして警告表示部２０ｎ、撮影後モード変更制御部２０ｐが追加されている。
【０１２６】
図１４は、メインプロセッサ２０の実行する画像処理のフローチャートである。この処理をメインプロセッサ２０に実行させるためのプログラムはＲＯＭ３１に記憶されている。  この処理は、第１実施形態と同様にしてフラグの付与された画像が分類された後に行われるものとする。すなわち、この処理は、第１実施形態のＳ１９以降に実行される。
【０１２７】
Ｓ８１、８２はＳ２１、２２と同様である。
【０１２８】
Ｓ８３では、笑顔画像数検出部２０ｋは、第２の記録媒体３２に記憶された画像のうち「フラグ１−１」の付与された笑顔画像の総数をカウントする。
【０１２９】
Ｓ８４では、警告表示部２０ｎは、Ｓ８３でカウントされた笑顔画像の総数と、ＲＯＭ３１に予め蓄積された閾値とを比較し、笑顔画像の総数＜閾値であるか否かを判断する。Ｙｅｓの場合はＳ８６，Ｎｏの場合はＳ８７に進む。この閾値はユーザが操作キー２３から撮影モードごとに任意に設定できてもよい。例えば、笑顔モードの閾値＝１、目瞑り防止モードの閾値＝１、顔ＵＰモードの閾値＝３、手ぶれ防止モードの閾値＝２などと設定できる。
【０１３０】
Ｓ８５では、表示制御部２０ｃは、第２の記録媒体３２に記憶された画像を表示する。これはサムネイルの一覧表示でもよいし１コマの表示でもよい。
【０１３１】
Ｓ８６では、警告表示部２０ｎは、撮影モードに合った画像が閾値を超えて得られなかった旨の警告を表示するよう表示制御部２０ｃに指示する。表示制御部２０ｃは、当該指示に応じて、当該警告の映像信号をＯＳＤ信号発生回路により生成し、表示用液晶パネル３０に出力する。これにより当該警告が表示用液晶パネル３０に表示される。なお、警告は表示でなく音声出力でもよい。
【０１３２】
Ｓ８７では、撮影後モード変更制御部２０ｐは、他の撮影モードを選択させるためのモード一覧選択表示を表示制御部２０ｃに指示する。これにより当該モード一覧選択表示が表示用液晶パネル３０に表示される（図１５参照）。
【０１３３】
Ｓ８８では、撮影後モード変更制御部２０ｐは、モード一覧表示で示される撮影モードの中から所望の撮影モードの選択を操作キー２３を介して受け付ける。現在設定された撮影モードと異なる撮影モードが選択された場合はＳ８９、そうでない場合はＳ９１に進む。
【０１３４】
Ｓ８９では、選択された撮影モードに対応する条件に従って第２の記録媒体３２の画像を再分類する。再分類の結果、条件２に該当する画像は第１の記録媒体２９に移動して記憶する。条件１に該当する画像は、第２の記録媒体３２に記憶したままにするか、第１実施形態と同様に間引いて第２の記録媒体３２に記憶してもよい。
【０１３５】
Ｓ９０では、第２の記録媒体３２に記憶された画像を表示する。ユーザは必要に応じて消去したくない画像を選んで第１の記録媒体２９に移動して記憶させることができる。あるいは再分類に不満がある場合は、Ｓ８８に戻って撮影モードの選択を行うこともできる。
【０１３６】
Ｓ９１は、Ｓ２８と同様の判断を行い、ＹｅｓであればＳ９２、ＮｏであればＳ９４に進む。
【０１３７】
Ｓ９３、Ｓ９４は、それぞれＳ３１，Ｓ３２と同様である。Ｓ９４はＳ２９と同様である。
【０１３８】
例えば、Ｓ８８において、現在の撮影モードが「笑顔モード」の場合に、「目瞑り防止モード」が選択された場合は、Ｓ８９に進み、「笑顔モード」に対応する条件２の画像は第１の記録媒体２９に記憶される。これにより、間違って笑顔モードが選択されて連写が行われても、後から「目瞑り防止モード」を選択し、笑顔ではないが目をつぶっていない画像を第１の記録媒体２９に残すことができる。つまり、ユーザが意図したモードと異なる撮影モードが選択されて連写撮影した場合、後からユーザの希望するモードに変更して、そのモードに対応する条件に合致した画像を再分類し、必要な画像の誤消去を防止できる。
【符号の説明】
【０１３９】
２０：メインプロセッサ、２９：第１の記録媒体、３２：第２の記録媒体
【図１】
2010232863.tif 000003
【図２】
2010232863.tif 000004
【図３】
2010232863.tif 000005
【図４】
2010232863.tif 000006
【図５】
2010232863.tif 000007
【図６】
2010232863.tif 000008
【図７】
2010232863.tif 000009
【図８】
2010232863.tif 000010
【図９】
2010232863.tif 000011
【図１０】
2010232863.tif 000012
【図１１】
2010232863.tif 000013
【図１２】
2010232863.tif 000014
【図１３】
2010232863.tif 000015
【図１４】
2010232863.tif 000016
【図１５】
2010232863.tif 000017